(57)【要約】【課題】利用者に運動あるいは学習を継続する意欲を維持させる。【解決手段】管理サーバ１００は、複数の利用者の運動に関する履歴を示す運動履歴情報と、複数の利用者の学習に関する履歴を示す学習履歴情報と、複数の利用者の属性とを記憶する記憶部を参照する。管理サーバ１００は、運動履歴情報と、学習履歴情報と、利用者の属性とに基づく複数の指標を記憶部から読み出し、所定の利用者と、他の利用者とを比較した場合の所定の利用者の優劣を示すランキングを指標毎に評価する。管理サーバ１００は、指標毎のランキングの評価結果を基にして、所定の利用者が、他の利用者よりも優れていると評価された評価結果を判定する。【選択図】図１
2018151864.tif 000002
【特許請求の範囲】
【請求項１】
コンピュータに、
複数の利用者の運動に関する履歴を示す運動履歴情報と、複数の利用者の学習に関する履歴を示す学習履歴情報と、複数の利用者の属性とを記憶する記憶装置を参照し、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価し、
前記指標毎のランキングの評価結果を基にして、前記所定の利用者が、他の利用者よりも優れていると評価された評価結果を判定する
処理を実行させることを特徴とする評価プログラム。
【請求項２】
前記判定する処理の判定結果を基にして、前記所定の利用者が、他の利用者よりも優れていると評価された評価結果を優先的に前記所定の利用者の端末装置に通知する処理を更に実行させることを特徴とする請求項１に記載の評価プログラム。
【請求項３】
前記判定する処理の判定結果を表示する表示装置に、該表示装置に設定される属性を含む利用者が、他の利用者よりも優れていると評価された評価結果を優先的に通知する処理を更に実行させることを特徴とする請求項１に記載の評価プログラム。
【請求項４】
前記記憶装置は、災害発生時に通知する情報を記憶し、コンピュータに、災害が発生したことを示すアラームを受け付けた場合に、前記災害発生時に通知する情報を、所定の表示装置に表示させる処理を更に実行させることを特徴とする請求項１に記載の評価プログラム。
【請求項５】
コンピュータが実行する評価方法であって、
複数の利用者の運動に関する履歴を示す運動履歴情報と、複数の利用者の学習に関する履歴を示す学習履歴情報と、複数の利用者の属性とを記憶する記憶装置を参照し、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価し、
前記指標毎のランキングの評価結果を基にして、前記所定の利用者が、他の利用者よりも優れていると評価された評価結果を判定する
処理を実行することを特徴とする評価方法。
【請求項６】
複数の利用者の運動に関する履歴を示す運動履歴情報と、複数の利用者の学習に関する履歴を示す学習履歴情報と、複数の利用者の属性とを記憶する記憶部と、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価する評価部と、
前記指標毎のランキングの評価結果を基にして、前記所定の利用者が、他の利用者よりも優れていると評価された評価結果を判定する判定部と
を有することを特徴とする評価装置。
【発明の詳細な説明】
【技術分野】
【０００１】
本発明は、評価プログラム等に関する。
【背景技術】
【０００２】
従来、利用者の運動の評価を行い、評価結果を利用者に通知する技術がある。例えば、従来技術には、健康管理の指標となる生体情報を履歴情報としてメモリに蓄積しておき、履歴情報と目標値とを基にして、健康管理の経過に対する評価を実行するものがある。
【先行技術文献】
【特許文献】
【０００３】
【特許文献１】特開２００３−２８８４１７号公報
【特許文献２】特開２００３−２９６１５号公報
【発明の概要】
【発明が解決しようとする課題】
【０００４】
しかしながら、上述した従来技術では、運動あるいは学習を継続する意欲をより多くの利用者に対して維持させるには不十分であるという問題がある。
【０００５】
例えば、従来技術では、運動などの評価を行うに当たって、単一の指標による評価を行っている。ここで、単一の指標による評価は、厳密なランキングや比較を行う場合には有効であるが、健康維持、あるいは、健康管理のために、運動を継続する意欲を維持させるには不十分な点がある。単一の指標にあう一部の人は、運動を継続する度に成果が現れ、運動を継続する意欲を維持しやすいが、その他の人は、運動を継続する意欲を維持しづらい。
【０００６】
１つの側面では、本発明は、利用者に運動あるいは学習を継続する意欲を維持させることができる評価プログラム、評価方法および評価装置を提供することを目的とする。
【課題を解決するための手段】
【０００７】
第１の案では、コンピュータに、下記の処理を実行させる。コンピュータは、複数の利用者の運動に関する履歴を示す運動履歴情報と、複数の利用者の学習に関する履歴を示す学習履歴情報と、複数の利用者の属性とを記憶する記憶部を参照する。コンピュータは、運動履歴情報と、学習履歴情報と、利用者の属性とに基づく複数の指標を記憶する記憶部から読み出し、所定の利用者と、他の利用者とを比較した場合の所定の利用者の優劣を示すランキングを指標毎に評価する。コンピュータは、指標毎のランキングの評価結果を基にして、所定の利用者が、他の利用者よりも優れていると評価された評価結果を判定する。
【発明の効果】
【０００８】
利用者に運動あるいは学習を継続する意欲を維持させることができる。
【図面の簡単な説明】
【０００９】
【図１】図１は、本実施例に係るシステムの一例を示す図である。
【図２】図２は、運動履歴テーブルのデータ構造の一例を示す図である。
【図３】図３は、縄跳び履歴の一例を示す図である。
【図４】図４は、学習履歴テーブルのデータ構造の一例を示す図である。
【図５】図５は、読書履歴の一例を示す図である。
【図６】図６は、本実施例に係る管理サーバの構成を示す機能ブロック図である。
【図７】図７は、利用者管理テーブルのデータ構造の一例を示す図である。
【図８】図８は、指標テーブルのデータ構造の一例を示す図である。
【図９】図９は、評価結果テーブルのデータ構造の一例を示す図である。
【図１０】図１０は、指標毎の評価結果の一例を示す図である。
【図１１】図１１は、本実施例に係る管理サーバの処理手順を示すフローチャートである。
【図１２】図１２は、管理サーバと同様の機能を実現するコンピュータのハードウェア構成の一例を示す図である。
【発明を実施するための形態】
【００１０】
以下に、本願の開示する評価プログラム、評価方法および評価装置の実施例を図面に基づいて詳細に説明する。なお、この実施例によりこの発明が限定されるものではない。
【実施例】
【００１１】
図１は、本実施例に係るシステムの一例を示す図である。図１に示すように、このシステムは、端末装置１０ａ、１１ａ、無線通信装置１０ｂ、１１ｂ、デジタルサイネージ１０ｃ、１１ｃ、運動履歴管理サーバ６０ａ、図書館サーバ６５ａ、管理サーバ１００を有する。端末装置１０ａ、１１ａ、無線通信装置１０ｂ、１１ｂ、デジタルサイネージ１０ｃ、１１ｃ、運動履歴管理サーバ６０ａ、図書館サーバ６５ａ、防災管理サーバ７０、管理サーバ１００は、ネットワーク５０を介して相互に接続される。
【００１２】
端末装置１０ａは、学校Ａの敷地内に設置され、学校Ａの利用者が使用する端末装置である。利用者は、端末装置１０ａを操作して、管理サーバ１００等にアクセスし、各種の情報を取得する。
【００１３】
無線通信装置１０ｂは、学校Ａの利用者が使用するアクセスポイントである。利用者は、携帯端末等を保持しており、無線通信装置１０ｂを介して、運動履歴管理サーバ６０ａ、管理サーバ１００等にアクセスする。なお、無線通信装置１０ｂは、通常時には、学校Ａの関係者のみのアクセスを受け付けるが、災害が発生した場合には、他の利用者からのアクセスを受け付ける制御を行う。
【００１４】
デジタルサイネージ１０ｃは、端末装置１０ａから通知される情報や、管理サーバ１００から通知される情報を表示する表示装置である。
【００１５】
端末装置１１ａは、学校Ｂの敷地内に設置され、学校Ｂの利用者が使用する端末装置である。利用者は、端末装置１１ａを操作して、管理サーバ１００等にアクセスし、各種の情報を取得する。
【００１６】
無線通信装置１１ｂは、学校Ｂの利用者が使用するアクセスポイントである。利用者は、携帯端末等を保持しており、無線通信装置１１ｂを介して、管理サーバ１００等にアクセスする。なお、無線通信装置１１ｂは、通常時には、学校Ｂの関係者のみのアクセスを受け付けるが、災害が発生した場合には、他の利用者からのアクセスを受け付ける制御を行う。
【００１７】
デジタルサイネージ１１ｃは、端末装置１１ａから通知される情報や、管理サーバ１００から通知される情報を表示する表示装置である。
【００１８】
運動履歴管理サーバ６０ａは、利用者の運動履歴に関する情報を受け付け、運動履歴テーブル６０ｂに格納する装置である。運動履歴管理サーバ６０ａは、運動履歴テーブル６０ｂの情報を管理サーバ１００に通知する。本実施例では、利用者の運動履歴として、縄跳びに関する運動履歴の情報を取り扱うものとするが、これに限定されるものではなく、例えば、竹馬、一輪車、鉄棒、水泳、各種競技の情報であっても良い。
【００１９】
図２は、運動履歴テーブルのデータ構造の一例を示す図である。図２に示すように、この運動履歴テーブル６０ｂは、識別情報と、縄跳び履歴とを対応付ける。識別情報は、利用者を一意に識別する情報である。縄跳び履歴は、識別情報に識別される利用者が縄跳びを行った際の回数の履歴である。
【００２０】
図３は、縄跳び履歴の一例を示す図である。図３に示すように、この縄跳び履歴は、日付と、前跳びに関する情報と、二重跳びに関する情報とを対応付ける。日付は縄跳びを行った日付を示すものである。前跳びに関する情報は、第１平均回数と、第１最大回数と、第１累計回数とを有する。第１平均回数は、該当する日付における、前跳びの平均回数である。第１最大回数は、該当する日付における、前跳びの最大回数である。第１累計回数は、該当する日付における、前跳びの累計回数である。
【００２１】
二重跳びに関する情報は、第２平均回数と、第２最大回数と、第２累計回数とを有する。第２平均回数は、該当する日付における、二重跳びの平均回数である。第２最大回数は、該当する日付における、二重跳びの最大回数である。第２累計回数は、該当する日付における、二重跳びの累計回数である。
【００２２】
図３に示す例では、縄跳びの種類として、前跳び、二重跳びを示したが、その他の種類を含んでいても良い。例えば、後ろ跳び、片脚跳び、かけあしとび、交差跳び、あやとび等を含んでいても良い。
【００２３】
図書館サーバ６５ａは、利用者の学習履歴に関する情報を受け付け、学習履歴テーブル６５ｂに格納する装置である。図書館サーバ６５ａは、学習履歴テーブル６５ｂの情報を管理サーバ１００に通知する。本実施例では、利用者の学習履歴として、図書館の本の読書履歴の情報を取り扱うものとするがこれに限定されるものではなく、例えば、実力テストの情報等であっても良い。
【００２４】
図４は、学習履歴テーブルのデータ構造の一例を示す図である。図４に示すように、この学習履歴テーブルは、識別情報と、読書履歴とを対応付ける。識別情報は、利用者を一意に識別する情報である。読書履歴は、識別情報に識別される利用者が図書館の本を読んだ際の各種の履歴を示すものである。
【００２５】
図５は、読書履歴の一例を示す図である。図５に示すように、この読書履歴は、本識別番号と、難度と、読書時間と、感想文情報と、貸出日と、返却日とを対応付ける。本識別情報は、利用者が図書館から借りた本を一意に識別する情報である。難度は本の難易度を示すものである。読書時間は、本を読み切るまでに要した時間である。感想文情報は、利用者が作成した読書感想文の情報である。貸出日は、本を貸し出した日付である。返却日は、本を返却した日付である。
【００２６】
防災管理サーバ７０は、災害が発生したか否かを監視するサーバである。防災管理サーバ７０は、災害が発生したことを検知すると、災害が発生した旨のアラームを管理サーバ１００に通知する。
【００２７】
管理サーバ１００は、運動履歴テーブル６０ｂ、学習履歴テーブル６５ｂ、利用者の属性を基にして設定される複数の指標について、指標毎に利用者の評価を行う。管理サーバ１００は、各指標に対する評価結果のうち、評価の高いものを優先的に利用者に通知する。管理サーバ１００が、係る処理を実行することで、利用者に運動あるいは学習を継続する意欲を維持させることが可能となる。
【００２８】
管理サーバ１００は、防災管理サーバ７０から災害が発生した旨のアラームを受信した場合には、無線通信装置１０ｂ、１１ｂについて、災害用モードを起動する制御命令を送信する。災害用モードとは、例えば、特定のＳＳＩＤ「０００００ＪＡＰＡＮ」による無線ＬＡＮ機能を有効にして、全利用者からのアクセスを受け付ける旨の制御を行うモードである。係る制御命令を受信した無線通信装置１０ｂ、１１ｂは、関係者に限らず、他の利用者からのアクセスを受け付ける制御を行う。
【００２９】
また、管理サーバ１００は、上記アラームを受信した場合には、無料で無線通信を利用することができる無線通信装置１０ｂ、１１ｂが設定された、学校Ａ、学校Ｂの場所に関する情報を、デジタルサイネージ１０ｃ、１１ｃに表示させる。デジタルサイネージ１０ｃ、１１ｃに表示させる情報には、無線通信装置が開放されている場所の情報に限るものではなく、利用方法などの他の情報を含んでもよい。例えば、無線通信装置が開放されている場所と、情報を表示するデジタルサイネージ１０ｃ、１１ｃとが同じ場所である場合には、無線通信装置が開放されている場所の情報よりも、無線通信装置が開放されているという情報が有用である。また、デジタルサイネージ１０ｃ、１１ｃへ提供する情報を変更するだけでなく、管理サーバ１００を管理する自治体の災害用ポータルサイトを起動し、災害用モードで接続してきた利用者を、災害用ポータルサイトに誘導するようにしてもよい。
【００３０】
図６は、本実施例に係る管理サーバの構成を示す機能ブロック図である。図６に示すように、この管理サーバ１００は、通信部１１０と、入力部１２０と、表示部１３０と、記憶部１４０と、制御部１５０とを有する。管理サーバ１００は、評価装置の一例である。
【００３１】
通信部１１０は、ネットワーク５０を介して、無線通信装置１０ｂ、１１ｂ、端末装置１０ａ、１１ａ、運動履歴管理サーバ６０ａ、図書館サーバ６５ａと、防災管理サーバ７０とデータ通信を実行する処理部である。後述する制御部１５０は、通信部１１０を介して、無線通信装置１０ｂ、１１ｂ、端末装置１０ａ、１１ａ、運動履歴管理サーバ６０ａ、図書館サーバ６５ａと、防災管理サーバ７０とデータをやり取りする。
【００３２】
入力部１２０は、管理サーバ１００に各種の情報を入力するための入力装置である。入力部１２０は、キーボードやマウス、タッチパネル等に対応する。
【００３３】
表示部１３０は、制御部１５０から出力される各種の情報を表示する表示装置である。表示部１３０は、液晶ディスプレイやタッチパネルに対応する。
【００３４】
記憶部１４０は、利用者管理テーブル１４０ａ、運動履歴テーブル６０ｂ、学習履歴テーブル６５ｂ、指標テーブル１４０ｂ、評価結果テーブル１４０ｃ、災害対策データ１４０ｄを有する。記憶部１４０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００３５】
利用者管理テーブル１４０ａは、利用者に関する各種の情報を保持するテーブルである。図７は、利用者管理テーブルのデータ構造の一例を示す図である。図７に示すように、この利用者管理テーブル１４０ａは、識別情報と、氏名と、性別と、所属学校と、住所とを対応付ける。識別情報は、利用者を一意に識別する情報である。氏名、性別は、利用者の氏名、性別である。所属学校は、利用者の所属する学校である。住所は、利用者が住んでいる住宅の住所である。
【００３６】
運動履歴テーブル６０ｂは、利用者の運動履歴の情報を保持するテーブルである。運動履歴テーブル６０ｂに関する説明は、図２および図３で説明したものと同様であるため、説明を省略する。
【００３７】
学習履歴テーブル６５ｂは、利用者の学習履歴の情報を保持するテーブルである。学習履歴テーブル６５ｂに関する説明は、図４および図５で説明したものと同様であるため、説明を省略する。
【００３８】
指標テーブル１４０ｂは、各種の指標を定義するテーブルである。図８は、指標テーブルのデータ構造の一例を示す図である。図８に示すように、この指標テーブル１４０ｂは、指標識別情報と、指標内容とを対応付ける。指標識別情報は、指標を一意に識別する情報である。指標内容は、指標の内容を示すものである。
【００３９】
例えば、指標内容は、「属性」と「比較対象」とにより定義される。属性は、評価（ランキング）を行う場合において、比較対象となる利用者の属性を定義するものである。比較対象は、属性によって絞り込まれる利用者を評価する場合に、何により評価するのかを定義するものである。
【００４０】
例えば、第１指標における属性は「学校Ａ、学校Ｂ」、比較対象は「前跳びの平均回数の評価値」である。このため、第１指標で評価を行う場合には、学校Ａ、学校Ｂに属する利用者を対象として、前跳びの平均回数の評価値を基に、ランキングを行うことを意味する。ここでは一例として、属性を学校単位で示しているが、属性をクラス単位、地域単位、学年単位、生徒単位、各単位の組み合わせで定義することができる。
【００４１】
評価結果テーブル１４０ｃは、利用者に対する評価結果を保持するテーブルである。図９は、評価結果テーブルのデータ構造の一例を示す図である。図９に示すように、この評価結果テーブル１４０ｃは、識別情報と評価結果とを対応付ける。識別情報は、利用者を一意に識別する情報である。評価結果は、指標毎の評価結果の情報である。
【００４２】
図１０は、指標毎の評価結果の一例を示す図である。図１０に示すように、各評価結果は、各指標識別情報と対応付けられている。
【００４３】
災害対策データ１４０ｄは、災害発生時にデジタルサイネージ１０ｃ、１１ｃに表示させる情報を保持する。例えば、災害対策データ１４０ｄには、災害発生時に無料で無線通信を利用できる学校の情報を含む。他に、災害用ポータルサイトを提供する情報を含んでもよい。災害用ポータルサイトには、災害用伝言板（安否確認）、地震・津波情報、避難所情報、停電情報、道路情報、鉄道情報を提供する機能を含んでもよい。
【００４４】
図６の説明に戻る。制御部１５０は、取得部１５０ａと、評価部１５０ｂと、判定部１５０ｃと、通知部１５０ｄとを有する。制御部１５０は、ＣＰＵ（Central  Processing  Unit）やＭＰＵ（Micro  Processing  Unit）などによって実現できる。また、制御部１５０は、ＡＳＩＣ（Application  Specific  Integrated  Circuit）やＦＰＧＡ（Field  Programmable  Gate  Array）などのハードワイヤードロジックによっても実現できる。
【００４５】
取得部１５０ａは、運動履歴管理サーバ６０ａから、運動履歴テーブル６０ｂの情報を取得する。取得部１５０ａは、図書館サーバ６５ａから、学習履歴テーブル６５ｂの情報を取得する。取得部１５０ａは、取得した運動履歴テーブル６０ｂの情報、学習履歴テーブル６５ｂの情報を、記憶部１４０に登録する。
【００４６】
評価部１５０ｂは、評価対象となる利用者の識別情報の指定を受け付け、運動履歴テーブル６０ｂと、学習履歴テーブル６５ｂと、利用者の属性とに基づく指標に基づいて、評価対象となる利用者を評価する処理部である。以下の説明では、評価対象となる利用者を「対象利用者」と表記する。評価部１５０ｂは、複数の指標として、指標テーブル１４０ｂに予め設定された各指標を利用する。利用者は、対象利用者の識別情報を、入力部１２０を操作することで入力しても良いし、無線通信装置１０ｂ、１１ｂ等を介して、自身の携帯端末から対象利用者の識別情報を入力しても良い。
【００４７】
続いて、評価部１５０ｂの評価処理の一例について説明する。評価部１５０ｂは、指標テーブル１４０ｂの未選択の指標を選択し、選択した指標の属性に該当する他の利用者の識別情報を特定する。例えば、評価部１５０ｂは、指標の属性と、利用者管理テーブル１４０ａの「所属学校」または「住所」とを比較することで、他の利用者の識別情報を判定する。以下の説明では、対象利用者の識別情報を「対象識別情報」と表記し、指標の属性に該当する他の利用者の識別情報を「他識別情報」と表記する。
【００４８】
例えば、評価部１５０ｂは、指標の属性が「学校Ａ、学校Ｂ」である場合には、利用者管理テーブル１４０ａの所属学校が「学校Ａ」または「学校Ｂ」となるレコードの識別情報を、他識別情報として判定する。
【００４９】
評価部１５０ｂは、対象識別情報と、他識別情報とを特定した後に、指標に定義される比較対象について、対象識別情報に対応する評価値と、他識別情報に対応する評価値とを算出する。以下において、運動履歴に基づいて算出する評価値、学習履歴に基づいて算出する評価値、運動履歴および学習履歴に基づいて算出する評価値の算出処理の一例について説明する。
【００５０】
評価部１５０ｂが、運動履歴に基づいて評価値を算出する処理の一例について説明する。ここでは、対象識別情報を用いて評価値を算出する場合について説明するが、他識別情報を用いて評価値を算出する場合も同様である。評価部１５０ｂは、対象識別情報と、運動履歴テーブル６０ｂとを比較して、対象識別情報に対応する運動履歴（縄跳び履歴）の情報を取得する。
【００５１】
評価部１５０ｂは、指標の比較対象に設定された項目に基づき、例えば、式（１）を用いて評価値を算出する。式（１）において、第１難度係数は、縄跳びの種類に応じて予め設定される値であり、難度の高い種類ほど、第１難度係数が大きくなる。また、縄跳び履歴に含まれるレコードのうち、いずれのレコードを用いるのかは予め設定されており、例えば、最新の日付のレコードを用いても良いし、その他の日付を指定しても良い。
【００５２】
評価値＝第１難度係数×縄跳びを跳んだ回数（平均回数ｏｒ最大回数ｏｒ累計回数）・・・（１）
【００５３】
例えば、評価部１５０ｂが、第１指標の比較対象に基づいて評価値を算出する場合には、評価値は、式（１ａ）により算出される。
【００５４】
評価値＝前跳びの難度係数×第１平均回数・・・（１ａ）
【００５５】
続いて、評価部１５０ｂが、学習履歴に基づいて評価値を算出する処理の一例について説明する。ここでは、対象識別情報を用いて評価値を算出する場合について説明するが、他識別情報を用いて評価値を算出する場合も同様である。評価部１５０ｂは、対象識別情報と、学習履歴テーブル６５ｂとを比較して、対象識別情報に対応する学習履歴（読書履歴）の情報を取得する。
【００５６】
評価部１５０ｂは、指標の比較対象に設定された項目に基づき、例えば、式（２）を用いて評価値を算出する。式（２）において、第２難度係数は、図５に示した難度に対応するものであり、難度が大きいほど、第２難度係数が大きくなる。なお、指定期間中に読んだ各本の難度が異なる場合には、各難度に対応する第２難度係数を平均化する等して、評価値を算出する。
【００５７】
評価値＝第２難度係数×読書量（指定期間に読んだ本の数ｏｒ指定期間における読書時間の累計）・・・（２）
【００５８】
例えば、評価部１５０ｂが、第３指標の比較対象に基づいて評価値を算出する場合には、評価値は、式（２ａ）により算出される。
【００５９】
評価値＝期間○○〜○○に読んだ本の難度に対応する第２難度係数×期間○○〜○○における読書時間累計・・・（２ａ）
【００６０】
続いて、評価部１５０ｂが、運動履歴および学習履歴に基づいて評価値を算出する処理の一例について説明する。評価部１５０ｂが、運動履歴および学習履歴に基づいて評価値を算出する場合には、上述した式（１）に基づく評価値と、式（２）に基づく評価値とを加算することで評価値を算出する。
【００６１】
評価部１５０ｂは、選択した指標について、対象識別情報の評価値と、各他識別情報の評価値とを算出し、対象識別情報をランキング（評価）する。評価部１５０ｂは、上記処理を繰り返し実行することで、対象識別情報に関する各指標のランキングを行い、ランキング結果を、評価結果テーブル１４０ｃに格納する。
【００６２】
判定部１５０ｃは、評価結果テーブル１４０ｃを参照し、対象識別情報に対応する各評価結果を比較し、対象利用者が、他の利用者よりも優れていると評価された評価結果を判定する処理部である。例えば、判定部１５０ｃは、各指標のランキングのうち、最も上位にランキングされた指標を判定する。判定部１５０ｃは、判定結果を、通知部１５０ｄに出力する。
【００６３】
通知部１５０ｄは、各種の情報通知を行う処理部である。例えば、通知部１５０ｄは、判定部１５０ｃから判定結果を受信した場合には、判定結果に含まれる最も上位にランキングされた指標と、評価結果とを、対象利用者に通知する。また、通知部１５０ｄは、防災管理サーバ７０から災害が発生した旨のアラームを受信した場合には、災害対策データ１４０ｄを、デジタルサイネージ１０ｃ、１１ｃに通知して表示させる。
【００６４】
次に、本実施例に係る管理サーバ１００の処理手順の一例について説明する。図１１は、本実施例に係る管理サーバの処理手順を示すフローチャートである。図１１に示すように、管理サーバ１００の評価部１５０ｂは、処理対象となる識別情報を受け付ける（ステップＳ１０１）。
【００６５】
評価部１５０ｂは、指標テーブル１４０ｂを参照し、複数の指標の内、未選択の指標を選択する（ステップＳ１０２）。評価部１５０ｂは、運動履歴テーブル６０ｂ、学習履歴テーブル６５ｂ、利用者管理テーブル１４０ａに基づいて、選択した指標の評価値を算出する（ステップＳ１０３）。
【００６６】
評価部１５０ｂは、指標の評価結果を基にして、対象利用者のランキングを判定し、評価結果テーブル１４０ｃに登録する（ステップＳ１０４）。評価部１５０ｂは、全ての指標を選択していない場合には（ステップＳ１０５，Ｎｏ）、ステップＳ１０２に移行する。一方、評価部１５０ｂは、全ての指標を選択した場合には（ステップＳ１０５，Ｙｅｓ）、ステップＳ１０６に移行する。
【００６７】
管理サーバ１００の判定部１５０ｃは、各指標に対するランキングの内、高ランキングに評価された指標を判定する（ステップＳ１０６）。管理サーバ１００の通知部１５０ｄは、判定された指標と、この指標の評価結果を通知する（ステップＳ１０７）。
【００６８】
次に、本実施例に係る管理サーバ１００の効果について説明する。管理サーバ１００は、運動履歴テーブル６０ｂ、学習履歴テーブル６５ｂ、利用者の属性を基にして設定される複数の指標について、指標毎に利用者の評価を行う。管理サーバ１００は、各指標に対する評価結果のうち、評価の高いものを優先的に利用者に通知する。管理サーバ１００が、係る処理を実行することで、利用者に運動あるいは学習を継続する意欲を維持させることが可能となる。
【００６９】
また、管理サーバ１００は、災害発生時に通知する災害対策データ１４０ｄを記憶し、災害が発生したことを示すアラームを受け付けた場合に、災害対策データ１４０ｄをデジタルサイネージ１０ｃ、１１ｃに表示させる。このため、係る表示を見た利用者は、災害時でも無料で無線通信を利用する場所を確認することができる。
【００７０】
次に、上記実施例に示した管理サーバ１００と同様の機能を実現するコンピュータのハードウェア構成の一例について説明する。図１２は、管理サーバと同様の機能を実現するコンピュータのハードウェア構成の一例を示す図である。
【００７１】
図１２に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読み取る読み取り装置２０４と、ネットワークを介して他のコンピュータとの間でデータの授受を行うインタフェース装置２０５とを有する。また、コンピュータ２００は、各種情報を一時記憶するＲＡＭ２０６と、ハードディスク装置２０７とを有する。そして、各装置２０１〜２０７は、バス２０８に接続される。
【００７２】
ハードディスク装置２０７は、取得プログラム２０７ａ、評価プログラム２０７ｂ、判定プログラム２０７ｃ、通知プログラム２０７ｄを有する。ＣＰＵ２０１は、取得プログラム２０７ａ、評価プログラム２０７ｂ、判定プログラム２０７ｃ、通知プログラム２０７ｄを読み出してＲＡＭ２０６に展開する。
【００７３】
取得プログラム２０７ａは、取得プロセス２０６ａとして機能する。評価プログラム２０７ｂは、評価プロセス２０６ｂとして機能する。判定プログラム２０７ｃは、判定プロセス２０６ｃとして機能する。通知プログラム２０７ｄは、通信プロセス２０６ｄとして機能する。
【００７４】
取得プロセス２０６ａの処理は、取得部１５０ａの処理に対応する。評価プロセス２０６ｂの処理は、評価部１５０ｂの処理に対応する。判定プロセス２０６ｃの処理は、判定部１５０ｃの処理に対応する。通信プロセス２０６ｄの処理は、通信部１５０ｄの処理に対応する。
【００７５】
なお、各プログラム２０７ａ〜２０７ｄについては、必ずしも最初からハードディスク装置２０７に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００が各プログラム２０７ａ〜２０７ｂを読み出して実行するようにしても良い。
【００７６】
以上の各実施例を含む実施形態に関し、さらに以下の付記を開示する。
【００７７】
（付記１）コンピュータに、
複数の利用者の運動に関する履歴を示す運動履歴情報と、複数の利用者の学習に関する履歴を示す学習履歴情報と、複数の利用者の属性とを記憶する記憶装置を参照し、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価し、
前記指標毎のランキングの評価結果を基にして、前記所定の利用者が、他の利用者よりも優れていると評価された評価結果を判定する
処理を実行させることを特徴とする評価プログラム。
【００７８】
（付記２）前記判定する処理の判定結果を基にして、前記所定の利用者が、他の利用者よりも優れていると評価された評価結果を優先的に前記所定の利用者の端末装置に通知する処理を更に実行させることを特徴とする付記１に記載の評価プログラム。
【００７９】
（付記３）前記判定する処理の判定結果を表示する表示装置に、該表示装置に設定される属性を含む利用者が、他の利用者よりも優れていると評価された評価結果を優先的に通知する処理を更に実行させることを特徴とする付記１に記載の評価プログラム。
【００８０】
（付記４）前記記憶装置は、災害発生時に通知する情報を記憶し、コンピュータに、災害が発生したことを示すアラームを受け付けた場合に、前記災害発生時に通知する情報を、所定の表示装置に表示させる処理を更に実行させることを特徴とする付記１に記載の評価プログラム。
【００８１】
（付記５）コンピュータが実行する評価方法であって、
複数の利用者の運動に関する履歴を示す運動履歴情報と、複数の利用者の学習に関する履歴を示す学習履歴情報と、複数の利用者の属性とを記憶する記憶装置を参照し、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価し、
前記指標毎のランキングの評価結果を基にして、前記所定の利用者が、他の利用者よりも優れていると評価された評価結果を判定する
処理を実行することを特徴とする評価方法。
【００８２】
（付記６）前記判定する処理の判定結果を基にして、前記所定の利用者が、他の利用者よりも優れていると評価された評価結果を優先的に前記所定の利用者の端末装置に通知する処理を更に実行することを特徴とする付記５に記載の評価方法。
【００８３】
（付記７）前記判定する処理の判定結果を表示する表示装置に、該表示装置に設定される属性を含む利用者が、他の利用者よりも優れていると評価された評価結果を優先的に通知する処理を更に実行することを特徴とする付記５に記載の評価方法
【００８４】
（付記８）前記記憶装置は、災害発生時に通知する情報を記憶し、コンピュータは、災害が発生したことを示すアラームを受け付けた場合に、前記災害発生時に通知する情報を、所定の表示装置に表示させる処理を更に実行することを特徴とする付記５に記載の評価方法。
【００８５】
（付記９）複数の利用者の運動に関する履歴を示す運動履歴情報と、複数の利用者の学習に関する履歴を示す学習履歴情報と、複数の利用者の属性とを記憶する記憶部と、
前記運動履歴情報と、前記学習履歴情報と、前記利用者の属性とに基づく複数の指標を記憶する記憶部から読み出し、所定の利用者と、他の利用者とを比較した場合の前記所定の利用者の優劣を示すランキングを指標毎に評価する評価部と、
前記指標毎のランキングの評価結果を基にして、前記所定の利用者が、他の利用者よりも優れていると評価された評価結果を判定する判定部と
を有することを特徴とする評価装置。
【００８６】
（付記１０）前記判定部の判定結果を基にして、前記所定の利用者が、他の利用者よりも優れていると評価された評価結果を優先的に前記所定の利用者の端末装置に通知する通知部を更に有することを特徴とする付記９に記載の評価装置。
【００８７】
（付記１１）前記判定部の判定結果を表示する表示装置に、該表示装置に設定される属性を含む利用者が、他の利用者よりも優れていると評価された評価結果を優先的に通知する通知部を更に有することを特徴とする付記９に記載の評価装置。
【００８８】
（付記１２）前記記憶部は、災害発生時に通知する情報を記憶し、前記通知部は、災害が発生したことを示すアラームを受け付けた場合に、前記災害発生時に通知する情報を、所定の表示装置に表示させることを特徴とする付記１０に記載の評価装置。
【符号の説明】
【００８９】
１０ａ、１１ａ  端末装置
１０ｂ、１１ｂ  無線通信装置
１０ｃ、１１ｃ  デジタルサイネージ
６０ａ  運動履歴管理サーバ
６５ａ  図書館サーバ
７０    防災管理サーバ
１００  管理サーバ
【図１】
2018151864.tif 000003
【図２】
2018151864.tif 000004
【図３】
2018151864.tif 000005
【図４】
2018151864.tif 000006
【図５】
2018151864.tif 000007
【図６】
2018151864.tif 000008
【図７】
2018151864.tif 000009
【図８】
2018151864.tif 000010
【図９】
2018151864.tif 000011
【図１０】
2018151864.tif 000012
【図１１】
2018151864.tif 000013
【図１２】
2018151864.tif 000014